(57)【要約】      （修正有）【課題】スライドファスナーの隙間から浸入した水の本体部内への浸入を防止すると共に、内壁部とスライドファスナーが設けられる周面部との間の隙間に水が溜まらず、本体部にしみやカビ等の汚れが生じることがない収納バッグを提供することを目的とする。【解決手段】本体部１は、周面部に芯材が設けられ自立可能に構成されると共に、周面部の上部が内側上周部と外側上周部６との二股状に分岐形成されており、内側上周部は、外側上周部６よりも背高に形成されると共に、芯材により保形されて立壁状に形成され、この立壁状に形成される前記内側上周部の外側の前記外側上周部６は、上端部にスライドファスナー３の一方のファスナーエレメント３Ａが設けられ下部に水抜き孔７が設けられている収納バッグ。【選択図】図１
2019097761.tif 000002
【特許請求の範囲】
【請求項１】
上部が開口する本体部と、この本体部に着脱自在、若しくは起伏回動自在に設けられスライドファスナーを介して前記本体部の上部開口部を開閉自在に閉塞する蓋部とから成り、前記蓋部が天面部とこの天面部の周囲に沿って垂設される垂下壁部とからなる構成とされ、前記スライドファスナーの一方のファスナーエレメントが前記本体部の周面部の上部に設けられ、他方のファスナーエレメントが前記垂下壁部の下端部に設けられて、前記スライドファスナーがバッグ周面に露出せしめられている収納バッグにおいて、前記本体部は、前記周面部に芯材が設けられ自立可能に構成されると共に、前記周面部の上部が内側上周部と外側上周部との二股状に分岐形成されており、前記内側上周部は、前記外側上周部よりも背高に形成されると共に、前記芯材により保形されて立壁状に形成され、この立壁状に形成される前記内側上周部の外側の前記外側上周部は、上端部に前記スライドファスナーの一方のファスナーエレメント３設けられ下部に水抜き孔が設けられている構成とされて、前記蓋部が前記本体部の上部開口部を閉塞している状態で前記スライドファスナーが開口している状態において、前記スライドファスナーの開口部を通じて外部から水が浸入しても、前記内側上周部により本体部内への浸入が阻止されると共に、このスライドファスナーの開口部より浸入した水が前記外側上周部に設けられる水抜き孔から排出されて、前記内側上周部と前記外側上周部との間に水が溜まらないように構成されていることを特徴とする収納バッグ。
【請求項２】
前記水抜き孔が、前記外側上周部の全周に亘って間隔をおいて複数設けられていることを特徴とする請求項１記載の収納バッグ。
【請求項３】
前記本体部及び前記蓋部は、夫々、防水性と柔軟性を有する部材で形成されていることを特徴とする請求項１,２のいずれか１項に記載の収納バッグ。
【請求項４】
前記本体部と前記蓋部は、一体形成されていることを特徴とする請求項１〜３のいずれか１項に記載の収納バッグ。
【発明の詳細な説明】
【技術分野】
【０００１】
本発明は、例えばキャンプ用品やキャンプに携行する衣服や寝具などを収納するのに適した収納バッグに関するものである。
【背景技術】
【０００２】
従来、この種の収納バッグは、本体部と蓋部とがスライドファスナーにより分離自在に結合されていて、このスライドファスナーの開閉操作により蓋部を開閉することができるように構成されている。
【０００３】
ところで、このような収納バッグにおいて、蓋部を頻繁に開閉操作する場合、スライドファスナーを閉めずにおくことがある。
【０００４】
このような場合、万一、収納バッグに水が掛かってしまった場合、スライドファスナーの隙間（開口部）を介して本体部に水が浸入してしまうおそれがあることから、従来、このような場合（蓋部は閉めるがスライドファスナーは閉めない場合）でもスライドファスナーの隙間から水が浸入しないように、スライドファスナーを覆うフラップが本体部の周面（スライドファスナーの近傍）に設けられているものがある。
【０００５】
しかしながら、このようなフラップが設けられた収納バッグは、スライドファスナーの開閉操作の際にフラップがスライドファスナーと干渉しやすく、スライドファスナーがフラップを噛んでしまい開閉操作ができなくなるなどの不具合が生じてしまうことが多々あった。
【０００６】
このような背景のもと、従来、フラップを設けず、スライドファスナーの内側に、上端部がスライドファスナーの位置よりも上方に位置する背高の内壁部を設けて、この内壁部でスライドファスナーの隙間から浸入した水の本体部内への浸入を防ぐように構成される収納バッグが提案されている。
【発明の概要】
【発明が解決しようとする課題】
【０００７】
しかしながら、従来の内壁部でスライドファスナーの隙間から浸入した水の本体部内への浸入を防ぐように構成される収納バッグ（以下、従来例と称す）は、内壁部の保形が不十分で、この内壁部が変形してしまい十分な防水（本体部内への水の浸入阻止）効果が発揮されなかったり、防水効果は発揮されるものの、本体部内への浸入を阻止した水が内壁部とスライドファスナーが設けられる周面部との間の隙間に溜まり、この水が溜まってしまうことで本体部の周面にしみやカビの汚れが生じ外観を損ねてしまうことがあった。
【０００８】
本発明は、このような従来例の問題を解決するもので、スライドファスナーの隙間から浸入した水の本体部内への浸入が確実に防止されると共に、内壁部とスライドファスナーが設けられる周面部との間の隙間に水が溜まらず、本体部にしみやカビ等の汚れが生じることがない実用性に優れた収納バッグを提供することを目的とする。
【課題を解決するための手段】
【０００９】
添付図面を参照して本発明の要旨を説明する。
【００１０】
上部が開口する本体部１と、この本体部１に着脱自在、若しくは起伏回動自在に設けられスライドファスナー３を介して前記本体部１の上部開口部を開閉自在に閉塞する蓋部２とから成り、前記蓋部２が天面部２Ａとこの天面部２Ａの周囲に沿って垂設される垂下壁部２Ｂとからなる構成とされ、前記スライドファスナー３の一方のファスナーエレメント３Ａが前記本体部１の周面部の上部に設けられ、他方のファスナーエレメント３Ａが前記垂下壁部２Ｂの下端部に設けられて、前記スライドファスナー３がバッグ周面に露出せしめられている収納バッグにおいて、前記本体部１は、前記周面部に芯材４が設けられ自立可能に構成されると共に、前記周面部の上部が内側上周部５と外側上周部６との二股状に分岐形成されており、前記内側上周部５は、前記外側上周部６よりも背高に形成されると共に、前記芯材４により保形されて立壁状に形成され、この立壁状に形成される前記内側上周部５の外側の前記外側上周部６は、上端部に前記スライドファスナー３の一方のファスナーエレメント３Ａが設けられ下部に水抜き孔７が設けられている構成とされて、前記蓋部２が前記本体部１の上部開口部を閉塞している状態で前記スライドファスナー３が開口している状態において、前記スライドファスナー３の開口部を通じて外部から水が浸入しても、前記内側上周部５により本体部１内への浸入が阻止されると共に、このスライドファスナー３の開口部より浸入した水が前記外側上周部６に設けられる水抜き孔７から排出されて、前記内側上周部５と前記外側上周部６との間に水が溜まらないように構成されていることを特徴とする収納バッグに係るものである。
【００１１】
また、前記水抜き孔７が、前記外側上周部６の全周に亘って間隔をおいて複数設けられていることを特徴とする請求項１記載の収納バッグに係るものである。
【００１２】
また、前記本体部１及び前記蓋部２は、夫々、防水性と柔軟性を有する部材で形成されていることを特徴とする請求項１,２のいずれか１項に記載の収納バッグに係るものである。
【００１３】
また、前記本体部１と前記蓋部２は、一体形成されていることを特徴とする請求項１〜３のいずれか１項に記載の収納バッグに係るものである。
【発明の効果】
【００１４】
本発明は上述のように構成したから、スライドファスナーの隙間から浸入した水の本体部内への浸入が確実に防止される。
【００１５】
更に、このスライドファスナーの隙間から浸入した水が、内側上周部（従来例の内壁部に相当）とスライドファスナーが設けられる外側上周部との間の隙間に溜まらず、したがって、本体部にしみやカビ等の汚れが生じるような不具合も生じない実用性に優れた収納バッグとなる。
【図面の簡単な説明】
【００１６】
【図１】本実施例の正面側を示す斜視図である。
【図２】本実施例の背面側を示す斜視図である。
【図３】本実施例の蓋部開口状態を示す斜視図である。
【図４】本実施例を示す側断面図である。
【図５】本実施例の要部拡大断面部である。
【図６】本実施例の本体部の折り畳み収納状態を示す説明概略図である。
【発明を実施するための形態】
【００１７】
好適と考える本発明の実施形態を、図面に基づいて本発明の作用を示して簡単に説明する。
【００１８】
本発明は、本体部１を自立可能にする芯材４により内側上周部５の立壁形状が保形されるから、蓋部２が本体部１の上部開口部を閉塞しているがスライドファスナー３が開口している状態で水が掛かってしまい、この水がスライドファスナー３の開口部から浸入しても、内側上周部５がこのスライドファスナー３の開口部から浸入した水の本体部１内への浸入を確実に阻止することができ、本体部１内に収納される収納物の被水を防ぐことができる。
【００１９】
また、この内側上周部５に本体部１への浸入を阻止された水は、この内側上周部５に沿って下方に移動し、内側上周部５と外側上周部６との間の隙間へ浸入するが、本発明は、この隙間を形成する外側上周部６の下部に水抜き孔７が設けられているから、この隙間に浸入した水がこの水抜き孔７を通じて外部に排水されることとなり、これにより、内側上周部５と外側上周部６の間の隙間には水が溜まらず、よって、水が溜まることによる不具合、例えば、本体部１の周面部にこの水によるしみやカビ等の汚れが生じるような不具合が生じず、汚れによる外観の体裁が損なわれないこととなる。
【実施例】
【００２０】
本発明の具体的な実施例について図面に基づいて説明する。
【００２１】
本実施例は、上部が開口する本体部１と、この本体部１に着脱自在、若しくは起伏回動自在に設けられスライドファスナー３を介して前記本体部１の上部開口部を開閉自在に閉塞する蓋部２とから成る収納バッグであり、特に、キャンプ用品やキャンプに携行する衣服や寝具などの収納に適した防水性を有し持ち運び自在に構成されるものである。
【００２２】
以下、本実施例に係る構成各部について詳述する。
【００２３】
本実施例の本体部１は、図示するように、上部開口型の方形箱状に形成され、周面部に把持部８が設けられて、持ち運び自在に構成されている。
【００２４】
具体的には、周面部は、正面部１Ａ、左右の側面部１Ｂ及び背面部１Ｃの四面部で形成され、正面部１Ａ及び背面部１Ｃには、片手持ち又は肩掛けができるように長めに形成される片手持ち用把持部８Ａが設けられ、また、左右の側面部１Ｂには、この片手持ち用把持部８Ａよりも短めに形成される両手持ち用把持部８Ｂが夫々設けられている。
【００２５】
また、本実施例の本体部１は、周面部を形成している正面部１Ａ、左右の側面部１Ｂ及び背面部１Ｃと、底面部１Ｄに夫々、芯材４が設けられていて、この芯材４により各面部が保形されることで自立可能に構成されている。
【００２６】
具体的には、正面部１Ａ、左右の側面部１Ｂ及び背面部１Ｃは、防水性を有する表側布製部材９と非防水性の裏側布製部材10の二枚の布製部材が張り合わされ、この間に合成樹脂製の硬質性の芯材４が設けられた構成とされている。
【００２７】
また、左右の側面部１Ｂは、夫々、側面部１Ｂの形状に対して横幅方向に二分割された芯材４が設けられていて、横幅方向中央部で折り畳めるように構成されている。
【００２８】
また、底面部１Ｄは、周面部を構成する正面部９Ａ等と同様、防水性を有する表側布製部材９と非防水性の裏側布製部材10の二枚の布製部材が張り合わされ形成されるが、この表側布製部材10と裏側布製部材11との間に芯材４が設けられておらず、底面内側に配置される裏側布製部材10上に芯材４が着脱自在に設けられる構成とされている。
【００２９】
具体的には、本実施例の底面部１Ｄに設けられる底面部用芯材４Ａは、周面部に設けられる芯材４と同様の硬質性のものであり、一側長辺部が底面部１Ｄの一側長辺部に着設されて起伏回動自在に設けられ、起伏回動操作により底面部１Ｄに着脱自在に設けられている。
【００３０】
本実施例の本体部１は、この底面部１Ｄを保形している底面部用芯材４Ａを起立回動操作して底面部１Ｄから離脱させることで、底面部１Ｄの保形が解除され、この底面部１Ｄの保形を解除した状態で左右の側面部１Ｂを内側に二つ折りすると、この底面部１Ｄも折り畳まれ、略扁平状の折り畳み収納状態に変形するように構成されている。
【００３１】
また、本実施例の本体部１は、周面部の上部が内側上周部５と外側上周部６との二股状に分岐形成されており、内側上周部５は、外側上周部６よりも背高に形成されると共に、芯材４により保形されて立壁状に形成され、また、この立壁状に形成される内側上周部５の外側に位置する外側上周部６は、上端部に防水性を有するスライドファスナー３の一方のファスナーエレメント３Ａが設けられ、下部に水抜き孔７が設けられている構成とされている。
【００３２】
すなわち、言い換えると、本実施例は、蓋部２が本体部１の上部開口部を閉塞しているがスライドファスナー３が開口している状態で水が掛かってしまいスライドファスナー３の開口部を通じて外部から水が浸入しても、スライドファスナー３の奥側に立設される内側上周部５がこの水の本体部１内への浸入を阻止すると共に、このスライドファスナー３の開口部より浸入した水を外側上周部６に設けられる水抜き孔７から排出して、内側上周部５と外側上周部６との間に水が溜まらないように構成されている。
【００３３】
具体的には、本実施例の内側上周部５は、本体部１の上部開口部に沿って全周に亘って表側布製部材９と同素材の布製部材で形成され、裏側布製部材10及び芯材４よりも背低に形成される表側布製部材９の上部側に、下部側がこの表側布製部材９と重なるようにして溶着により付設されると共に、上端部が裏側布製部材10及び芯材４を共に縁部材で被包され、芯材４に対して添設状態に設けられている。
【００３４】
すなわち、本実施例の内側上周部５は、この芯材４に添設状態に設けられることで、柔軟性を有する布製部材で構成されながら立壁状態が保持される構成とされている。
【００３５】
また、外側上周部６は、前述した裏側布製部材10及び芯材４よりも背低に形成される表側布製部材９の上部で形成されている。すなわち、言い換えると、本実施例は、裏側布製部材10及び芯材４よりも背低に形成される表側布製部材９の上部を外側上周部６とする構成とされている。
【００３６】
この表側布製部材９の上部で形成される本実施例の外側上周部６は、上端部にスライドファスナー３の一方のファスナーエレメント３Ａが設けられ、また、下部、具体的には、内側上周部５が溶着される溶着部11の近傍（内側上周部５と外側上周部６の分岐部となる位置）に水抜き孔７が形成されている。
【００３７】
具体的には、水抜き孔７は、横長孔に形成されていて、内側上周部５と外側上周部６の分岐境界線に沿って、本体部１の全周に亘って等間隔に設けられている。
【００３８】
また、以上のように構成される本体部１の上部開口部を閉塞する蓋部２は、天面部２Ａとこの天面部２Ａの周囲に沿って垂設される垂下壁部２Ｂとからなる箱蓋状に形成され、本体部１の上縁部となる前述した内側上周部５に被嵌するようにして、本体部１の背面部１Ｃに、本体部１に対して起伏回動自在に設けられている。
【００３９】
具体的には、本実施例の蓋部２は、垂下壁部２Ｂの先端部（下端部）に防水性を有するスライドファスナー３のもう一方のファスナーエレメント３Ａが設けられていて、スライドファスナー３を介して本体部１に分離自在に係着される構成とされている。
【００４０】
また、本実施例の蓋部２は、本体部１と同様、布製部材と芯材との積層構造とされ、具体的には、表面側から、本体部１と同じ表側布製部材９、軟質性の芯材12、裏側布製部材13の三層構造とされ、最表面側の表側布製部材９は、本体部１の表側布製部材９と一体に形成されている。
【００４１】
以上のように構成される本実施例の作用効果について以下に説明する。
【００４２】
本実施例は、防水性を有する本体部１、蓋部２及びスライドファスナー３で構成されているから、万一、水が掛かってしまっても本体部１内に水が浸み込まず、収納物が濡れてしまう心配が無い。
【００４３】
また、本実施例は、蓋部２が本体部１の上部開口部を閉塞しているがスライドファスナー３が開口している状態で水が掛かり、この水がスライドファスナー３の開口部から浸入したとしても、本体部１の上部開口部の周囲に設けられた内側上周部５が、このスライドファスナー３の開口部から浸入した水の本体部１内への浸入を阻止するので、本体部１内に水が浸入せず、よって、本体部１内に収納される収納物が被水するおそれが無い。
【００４４】
しかも、本実施例は、この内側上周部５によって本体部１内への浸入を阻止された水が、この内側上周部５をつたって下方に移動し、内側上周部５と外側上周部６との間の隙間へ浸入した後、この隙間を形成する外側上周部６の下部に設けられた水抜き孔７を通じて外部に排水されるから、内側上周部５と外側上周部６の間の隙間に水が溜まらず、よって、この水が溜まることによる不具合、例えば、本体部１の周面部にこの水によるしみやカビ等の汚れが生じるような不具合が生じず、汚れによる外観の体裁が損なわれない。
【００４５】
また、本実施例は、本体部１の左右の側面部１Ｂが横幅方向中央部で折り畳めるように構成されると共に、底面部１Ｄを保形している底面部用芯材４Ａが底面部１Ｄから離脱自在に設けられているから、不使用時は、この底面部用芯材４Ａを底面部１Ｄから離脱させ、底面部１Ｄの保形を解除することで、左右の側面部１Ｂを内側に二つ折りすることで、略扁平状の折り畳み収納状態に変形させて、コンパクトに収納或いは携帯することができる。
【００４６】
このように、本実施例は、防水性、携帯性、収納性に優れた極めて実用性に優れた画期的な収納バッグとなる。
【００４７】
尚、本発明は、本実施例に限られるものではなく、各構成要件の具体的構成は適宜設計し得るものである。
【符号の説明】
【００４８】
１  本体部
２  蓋部
２Ａ  天面部
２Ｂ  垂下壁部
３  スライドファスナー
３Ａ  ファスナーエレメント
４  芯材
５  内側上周部
６  外側上周部
７  水抜き孔
【図１】
2019097761.tif 000003
【図２】
2019097761.tif 000004
【図３】
2019097761.tif 000005
【図４】
2019097761.tif 000006
【図５】
2019097761.tif 000007
【図６】
2019097761.tif 000008